(57)【特許請求の範囲】
【請求項１】
リール本体に回転可能に支持したスプールと、
リール本体に装着したハンドルでスプールを駆動する釣糸巻取り駆動機構と、
当該釣糸巻取り駆動機構を釣糸巻取り状態と釣糸放出状態とに切り換えるクラッチ機構と、
上記ハンドルのハンドル軸に装着され、スプールにドラグ力を付与するドラグ装置とを備えた魚釣用リールに於て、
上記クラッチ機構を釣糸放出状態から釣糸巻取り状態に復帰させるクラッチ復帰手段と、
上記クラッチ機構の釣糸放出状態を検知する検知手段と、
スプールの回転加速度を検出する加速度検出手段と、
上記検知手段で検知された釣糸放出時に、スプール回転数が規定回転数に達した処でスプールの回転加速度を監視し、スプールの回転加速度が変化したとき、上記クラッチ復帰手段を介してクラッチ機構を釣糸放出状態から釣糸巻取り状態に復帰させる制御手段とを備えたことを特徴とする魚釣用リール。
【発明の詳細な説明】
【０００１】
【発明の属する技術分野】
本発明は、釣糸放出時のバックラッシュを防止した魚釣用リールに関する。
【０００２】
【従来の技術】
従来、沖釣り等に於て、仕掛けを棚位置に降下させる場合、クラッチＯＦＦ又はドラグフリーにして、主に重錘の重さで釣糸を放出して仕掛けを棚位置に降下させている。
ところが、この釣糸の放出時に魚が不意にかかって一気に突っ走ると、これに伴い釣糸が急激にスプールから繰り出されるが、走っていた魚が急に止まるとスプールの過回転によってバックラッシュが発生している。
【０００３】
特に、海水より比重の重い釣糸と餌と小さな重錘という軽めの仕掛けを自然に潮の流れに乗せ乍らゆっくりと棚まで沈める所謂「ふかせ釣り」にあっては、仕掛けの落下速度と当たりの後に魚が走る速度との差が大きいために、バックラッシュが発生し易い不具合があった。
又、斯かるバックラッシュを防止するため、従来、特開昭５８−１７０４２０号公報に開示されるようにモータでドラグ力を調整して、釣糸繰出し時にスプールに制動力を掛けたり、特開昭６３−８４４３２号公報に開示されるようにモータとスプールを連動回転させて、釣糸繰出し速度の急激な変化や釣糸先端の着水を検知したとき、モータ回転を停止させてスプール回転を停止させるもの、更に又、特開平６−３０３８８１号公報に開示されるように、釣糸繰出し時にスプール回転数を増減させる回転速度調整モータをリール本体に装着したもの等が提案されている。
【０００４】
【発明が解決しようとする課題】
然し乍ら、上述の如き従来のバックラッシュ防止手段は、何れも釣糸繰出し時に、モータ等によって常にスプールに負荷が掛かる構造であるため、釣糸の放出抵抗が大きく、この結果、スムーズ且つ素早い仕掛けの投入が困難で、手返しが悪く釣果に影響を来してしまう欠点があった。
【０００５】
又、これらの従来例は、何れもスプールに制動力を付与するだけで、巻取り操作を行うには、一旦クラッチＯＦＦからクラッチＯＮにクラッチ機構を復帰させる操作が必要で、迅速に巻取り操作に移行することが難しいといった課題も指摘されていた。
本発明は斯かる実情に鑑み案出されたもので、釣糸放出時のバックラッシュを防止しつつ迅速な仕掛けの投入を可能にすると共に、魚が掛かった際に、速やかな巻取り操作を可能とした魚釣用リールを提供することを目的とする。
【０００６】
【課題を解決するための手段】
斯かる目的を達成するため、請求項１に係る発明は、リール本体に回転可能に支持したスプールと、リール本体に装着したハンドルでスプールを駆動する釣糸巻取り駆動機構と、当該釣糸巻取り駆動機構を釣糸巻取り状態と釣糸放出状態とに切り換えるクラッチ機構と、上記ハンドルのハンドル軸に装着され、スプールにドラグ力を付与するドラグ装置とを備えた魚釣用リールに於て、上記クラッチ機構を釣糸放出状態から釣糸巻取り状態に復帰させるクラッチ復帰手段と、上記クラッチ機構の釣糸放出状態を検知する検知手段と、スプールの回転加速度を検出する加速度検出手段と、上記検知手段で検知された釣糸放出時に、スプール回転数が規定回転数に達した処でスプールの回転加速度を監視し、スプールの回転加速度が変化したとき、上記クラッチ復帰手段を介してクラッチ機構を釣糸放出状態から釣糸巻取り状態に復帰させる制御手段とを備えたことを特徴とする。
【０００８】
（作用）
請求項１に係る発明によれば、検知手段で検知された釣糸放出時に、制御手段は、スプール回転数が規定回転数に達した処でスプールの回転加速度を監視し、スプールの回転加速度が変化したとき、クラッチ復帰手段を介してクラッチ機構を釣糸放出状態から釣糸巻取り状態に復帰させるので、糸切れせず且つバックラッシュしない程度に予めドラグ装置のドラグ力を調節しておけば、釣糸はドラグ装置のドラグ作用でスプールから繰り出されることとなる。
【００１０】
【発明の実施の形態】
以下、本発明の実施形態を図面に基づき詳細に説明する。
図１は請求項１の一実施形態に係る魚釣用リールを示し、図中、１はフレーム枠体３の左右に側板５，７が装着されたリール本体で、当該リール本体１の側板５，７間に、スプール軸９を介してスプール１１が回転可能に支持されている。
【００１１】
そして、側板７内に突出するスプール軸９の一端側には、当該スプール軸９に設けたクラッチ係合部１３に係脱可能なピニオン１５が相対回転可能且つその軸方向へスライド可能に取り付けられており、当該ピニオン１５に、ハンドル１７のハンドル軸１９に相対回転可能に装着されたドライブギヤ２１が噛合している。
而して、ドライブギヤ２１とハンドル軸１９は、ハンドル軸１９に装着した従来周知のドラグ装置２３によって摩擦結合されており、従来と同様、ハンドル軸１９に装着したドラグノブ２５の操作でドラグ装置２３のドラグ力が調節できるようになっている。そして、ハンドル１７の回転力が、釣糸巻取り駆動機構たるドライブギヤ２１とピニオン１５を介してスプール軸９に伝達されると共に、後述するクラッチレバー２７の操作で、クラッチ係合部１３とピニオン１５とのクラッチ係合が解除されてスプール１１へのハンドル１７の回転力が遮断されるようになっている。
【００１２】
図２は本実施形態に係る魚釣用リール２９に装着したクラッチ機構３１を示し、図中、２７は側板７に回動自在に取り付けられたクラッチレバー、３３はクラッチプレート３５を作動させるクラッチ作動プレートで、当該クラッチ作動プレート３３の上端部側に長孔３７が、そして、二股に形成された下端部側にカム３９が設けられており、長孔３７内にクラッチレバー２７の基部に設けた偏心ピン４１が嵌入している。
【００１３】
クラッチプレート３５は、上記クラッチ係合部１３とピニオン１５とを係脱させて、ドライブギヤ２１を介してスプール１１に伝達されるハンドル１７の回転力を伝達，遮断させるもので、図１に示すように当該クラッチプレート３５は、ピニオン１５の外周に設けた係合凹部４３に係合し、そして、図２に示すようにコイルスプリング４５によってクラッチ作動プレート３３方向へ付勢されている。
【００１４】
そして、釣人が図２に示すクラッチＯＮの状態でクラッチレバー２７を図３に示す位置に操作すると、偏心ピン４１の作用でクラッチ作動プレート３３が矢印Ａ方向へ移動し、これに伴いカム３９がクラッチプレート３５をコイルスプリング４５のばね力に抗して軸方向へ移動させるため、ピニオン１５とクラッチ係合部１３とのクラッチ係合が解除されてスプール１１が釣糸放出状態（クラッチＯＦＦ）に切り換わるように構成されている。
【００１５】
又、このクラッチＯＦＦの状態でクラッチレバー２７を図２に示す位置へ操作すると、偏心ピン４１の作用でクラッチ作動プレート３３が矢印Ｂ方向へ移動し、これに伴いクラッチプレート３５がコイルスプリング４５の復元力で軸方向に移動するので、ピニオン１５が軸方向へ移動してクラッチ係合部１３とクラッチ係合し、スプール１１が釣糸巻取り状態（クラッチＯＮ）に復帰するように構成されている。
【００１６】
更に又、図２に示すようにクラッチ作動プレート３３の上端部には、クラッチ復帰手段たるソレノイド４７の作動ステー４９が当接するアーム５１がリール本体１の斜め上方へ延設されており、後述するように図３の位置にあるクラッチ作動プレート３３がソレノイド４７の作動で矢印Ｂ方向へ移動して、スプール１１が釣糸巻取り状態に復帰するようになっている。
【００１７】
そして、図２及び図３に示すようにクラッチレバー２７にはマグネット５３が装着されると共に、当該マグネット５３でＯＮとなるリードスイッチ５５，５７が、夫々、クラッチＯＮ，ＯＦＦの位置に対応して側板７に取り付けられており、クラッチレバー２７の操作に伴う各リードスイッチ５５，５７からの信号が、図１及び図４に示すようにリール本体１上部の側板５，７間に装着した制御ボックス５９内の制御手段６１に入力されている。
【００１８】
一方、図１中、６３，６５はフレーム枠体３に装着した一対のリードスイッチ、６７はこれらに対応してスプー１１の一端側に装着されたマグネットで、図４に示すようにリードスイッチ６３，６５は制御手段６１に接続されている。
【００１９】
制御手段６１は、特開平５−１０３５６７号公報に開示された糸長計測装置と同様、一対のリードスイッチ６３，６５がマグネット６７によっていずれか先にＯＮ／ＯＦＦされることで得られるスプール１１の正転，逆転の判定信号を取り込んで釣糸６９の放出か巻取りかを判定すると共に、リードスイッチ６３，６５から取り込むスプール１１の回転パルス信号をカウントして、この計数値を基にメモリ７１に記憶された糸長計算式を演算実行するようになっており、この演算結果が釣糸６９の繰出し量（糸長）として、制御ボックス５９の操作パネル７３上に設けたデジタル表示器７５に表示されるようになっている。
【００２０】
ところで、通常、釣糸６９を放出して仕掛けを繰り出すと、繰出し当初は仕掛けに加速度が生じて仕掛けは徐々に速度を上げて海中を降下していくが、スプール回転数がある規定回転数に達すると、繰出し速度も限界に達して、以後、その速度を前後して仕掛けは降下していく。
しかし、このとき、魚が不意にかかって釣糸６９が急激に繰り出されると、スプール１１の回転速度は大幅に上昇する。
そこで、制御手段６１は、リードスイッチ６３，６５から取り込むスプール１１の回転パルス信号を基に、メモリ７１に記憶された糸長計算式から釣糸６９の繰出し量を求めてこれをデジタル表示器７５に表示させる一方、リードスイッチ５７の信号が入力された釣糸放出時に、スプール回転数がある規定回転数に達した処で、リードスイッチ６３，６５から取り込むスプール１１の回転パルス信号に基づき、タイマ７７で計測された単位時間当たりのスプール回転数からスプール１１の回転加速度を検出するようになっている。
而して、このとき、繰出し速度が限界に達しているため、回転加速度は「０」であるが、不意に魚がかかって釣糸６９が急激に繰り出されると、スプール１１の回転速度が上昇して回転加速度が大きく変化するため、これを検出した制御手段６１は、ソレノイド４７を作動させてクラッチ機構３１をクラッチＯＮに復帰させるようになっている。
【００２１】
その他、図１中、７９は制御手段６１やソレノイド４７のＯＮ／ＯＦＦスイッチ、８１はスプール１１前方のリール本体１上部に装着されたレベルワインド機構のトラバースカム軸で、当該トラバースカム軸７９とスプール軸９は図示しないギヤトレインで連結されている。又、図示しないが、制御手段６１やソレノイド４７等の電池電源は側板５内に収納されている。そして、図２中、８３はクラッチ作動プレート３３の振り分けバネである。
【００２２】
本実施形態はこのように構成されているから、実釣時に釣人が操作パネル７３上のＯＮ／ＯＦＦスイッチ７９を操作して制御手段６１を起動させると、図５に示すように制御手段６１は、クラッチレバー２７の操作でクラッチ機構３１がクラッチＯＦＦとされたか否かを判定する（ステップＳ１）。
而して、クラッチレバー２７の操作でクラッチ機構３１がクラッチＯＦＦとなって釣糸が放出されると、仕掛けが落下し乍らスプール１１が回転するが（ステップＳ２）、クラッチＯＦＦの操作に伴いマグネット５３でＯＮとされたリードスイッチ５７からの信号を入力した制御手段６１は、リードスイッチ６３，６５から取り込むスプール１１の回転パルス信号に基づき糸長を求めてこれをデジタル表示器７５に表示させる。
【００３０】
そして、ステップＳ３でスプール回転数がある規定回転数に達した処で、制御手段６１はリードスイッチ６３，６５から取り込むスプール１１の回転パルス信号に基づき、タイマ７７で計測された単位時間当たりのスプール回転数からスプール１１の回転加速度を検出して、スプール１１の回転状態を監視する（ステップＳ４）。
【００３１】
そして、上述したように不意に魚がかかって一気に突っ走ると、釣糸６９が急激にスプール１１から繰り出される結果、スプール１１の回転速度が上昇して回転加速度が大きく変化するが、ステップＳ５に於て、スプール１１の回転加速度が変化したと判定すると、制御手段６１はソレノイド４７を作動させてクラッチ機構３１をクラッチＯＮに復帰させることとなる（ステップＳ６）。
【００３２】
而して、斯様にクラッチＯＮに切り換わると、スプールフリー状態にあったスプール１１は釣糸巻取り状態となるが、糸切れせず且つバックラッシュしない程度に予めドラグ装置２３のドラグ力を調節しておくことで、釣糸６９はドラグ装置２３のドラグ作用でスプール１１から繰り出されることとなる。
【００３３】
このように本実施形態は、釣糸６９の放出時に不意に魚がかかって急激に釣糸６９が繰り出されると、クラッチ機構３１がクラッチＯＮに復帰して、以後、ドラグ装置２３のドラグ作用で釣糸６９が繰り出されるように構成したので、釣糸６９をバックラッシュさせることなく素早く巻取り操作に移行でき、魚の取り逃がしが減ることとなる。
【００３４】
又、釣糸放出時にスプール１１に負荷がかからないため、釣糸放出抵抗が軽減してスムーズ且つ素早い仕掛けの投入が可能となり、手返し良く釣果を確実に伸ばすことができるし、スプール１１に制動力を付与せず、クラッチ機構３１をクラッチＯＮに復帰させることでバックラッシュを防ぐ構造のため、魚がかかった直後でも迅速に巻取り操作に移行することができる利点を有し、特に、軽めの仕掛けを潮の流れに乗せ乍らゆっくりと棚まで沈める「ふかせ釣り」に極めて有効である。
【００３５】
【発明の効果】
以上述べたように、請求項１に係る魚釣用リールによれば、釣糸の放出時に魚が不意にかかっても、釣糸をバックラッシュさせることなく素早く巻取り操作に移行できるので、魚の取り逃がしが減る利点を有する。
又、本発明によれば、釣糸放出時にスプールに負荷がかからないため、釣糸放出抵抗が軽減してスムーズ且つ素早い仕掛けの投入が可能となり、手返し良く釣果を確実に伸ばすことができるし、スプールに制動力を付与せず、クラッチ機構をクラッチＯＮに復帰させることでバックラッシュを防ぐ構造のため、魚がかかった直後でも迅速に巻取り操作に移行することができる利点を有し、特に、軽めの仕掛けを潮の流れに乗せ乍らゆっくりと棚まで沈める「ふかせ釣り」に極めて有効である。
【図面の簡単な説明】
【図１】請求項１の一実施形態に係る魚釣用リールの平面図である。
【図２】クラッチＯＮ状態にあるクラッチ機構の詳細を示す魚釣用リールの一部切欠き側面図である。
【図３】クラッチＯＦＦ状態にあるクラッチ機構の詳細を示す魚釣用リールの一部切欠き側面図である。
【図４】請求項１の一実施形態に係る魚釣用リールの制御ブロック図である。
【図５】請求項１の一実施形態に係る魚釣用リールの制御フローチャートである。
【符号の説明】
１  リール本体
９  スプール軸
１１  スプール
１３  クラッチ係合部
１５  ピニオン
１７  ハンドル
２１  ドライブギヤ
２３  ドラグ装置
２７  クラッチレバー
２９  魚釣用リール
３１  クラッチ機構
３３  クラッチ作動プレート
３５  クラッチプレート
４７  ソレノイド
５５，５７，６３，６５  リードスイッチ
６１  制御手段
【図１】
0003546142.tif 000002
【図２】
0003546142.tif 000003
【図３】
0003546142.tif 000004
【図４】
0003546142.tif 000005
【図５】
0003546142.tif 000006